【手続補正書】
【提出日】平成24年2月16日(2012.2.16)
【手続補正１】
【補正対象書類名】特許請求の範囲
【補正対象項目名】請求項３
【補正方法】変更
【補正の内容】
【請求項３】
前記画像配信装置は、前記配信画像のレイアウト又は文字の大きさを解析するファイル解析手段を備え、
前記表示領域決定手段は、前記解析結果に基づいて前記表示領域を決定することを特徴とする請求項１又は２に記載の画像配信システム。
【手続補正２】
【補正対象書類名】特許請求の範囲
【補正対象項目名】請求項４
【補正方法】変更
【補正の内容】
【請求項４】
前記携帯端末は、
所望の表示領域を示す情報を指示入力する操作部と、
前記指示入力された所望の表示領域を示す情報を前記画像配信装置に送信する端末側送信手段と、を備え、
前記画像配信装置は、前記端末側送信手段から送信された所望の表示領域を示す情報を受信する装置側受信手段を備え、
前記表示領域決定手段は、前記受信した所望の表示領域を示す情報に基づいて当該所望の表示領域を前記文書データ上に決定された表示領域とすることを特徴とする請求項１から３のいずれかに記載の画像配信システム。
【手続補正３】
【補正対象書類名】特許請求の範囲
【補正対象項目名】請求項６
【補正方法】変更
【補正の内容】
【請求項６】
前記画像配信装置は、前記配信画像を閲覧可能なアプリケーションを記憶する記憶手段を備え、
前記送信手段は、前記記憶手段に記憶されたアプリケーションを前記携帯端末に送信し、
前記表示制御手段は、前記送信されたアプリケーションを実行して、前記送信された配信画像を前記表示手段に表示させることを特徴とする請求項１から５のいずれかに記載の画像配信システム。
【手続補正４】
【補正対象書類名】明細書
【補正対象項目名】０００６
【補正方法】変更
【補正の内容】
【０００６】
特許文献２には、テレビ電話において、通信相手の表示装置の解像度が低い場合には、画素の間引き制御により撮影された低解像度の画像を通信相手に送信する発明が記載されている。
【手続補正５】
【補正対象書類名】明細書
【補正対象項目名】００１１
【補正方法】変更
【補正の内容】
【００１１】
本発明の第１の態様に係る画像配信システムは、ユーザが使用する携帯端末と、前記携帯端末と接続された画像配信装置とで構成された画像配信システムであって、前記携帯端末は、表示手段と、前記画像配信装置から送信された配信画像を受信する端末側受信手段と、前記端末側受信手段により受信された配信画像を前記表示手段に表示させる表示制御手段と、を備え、前記画像配信装置は、前記表示制御手段が前記表示手段に表示不可能な文書データを取得する文書データ取得手段と、前記表示手段の画素数又は解像度を取得する表示手段情報取得手段と、所定の大きさの表示領域を前記文書データ上に決定する表示領域決定手段と、前記決定された表示領域内の文書データが画像化された配信画像を生成する画像生成手段と、前記表示手段の画素数又は解像度に関わらず同じ大きさで前記配信画像が表示されるように、前記表示手段の画素数又は解像度に基づいて前記生成された配信画像の画素数又は解像度を変換する変換手段と、前記変換手段により画素数又は解像度が変換された表示領域内の配信画像を前記携帯端末に送信する装置側送信手段と、を備えたことを特徴とする。
【手続補正６】
【補正対象書類名】明細書
【補正対象項目名】００１２
【補正方法】変更
【補正の内容】
【００１２】
第１の態様に係る画像配信システムによれば、表示手段に表示不可能な文書データを取得し、所定の大きさの表示領域を決定し、表示領域内の文書データが画像化された配信画像を生成する。表示手段の画素数又は解像度を取得し、表示手段の画素数又は解像度に関わらず同じ大きさで配信画像が表示されるように配信画像の画素数又は解像度を変換し、携帯端末に送信する。携帯端末は、配信画像を受信して表示手段に表示させる。これにより、word、pdf等の文書データを開くことができない携帯端末においても、所望の文書データを閲覧することができる。また、表示手段の画素数又は解像度に関わらず、配信画像を同じ大きさで表示手段に表示させることができる。
【手続補正７】
【補正対象書類名】明細書
【補正対象項目名】００１３
【補正方法】変更
【補正の内容】
【００１３】
本発明の第２の態様に係る画像配信システムは、第１の態様に係る画像配信システムにおいて、前記表示手段情報取得手段は、前記表示手段の大きさを取得し、前記表示領域決定手段は、前記所定の大きさを前記表示手段の大きさと略同一の大きさとして表示領域を決定することを特徴とする。
【手続補正８】
【補正対象書類名】明細書
【補正対象項目名】００１４
【補正方法】変更
【補正の内容】
【００１４】
第２の態様に係る画像配信システムによれば、表示手段の大きさと略同一の大きさの表示領域を決定する。これにより、表示領域全体を表示手段に表示させることができる。
【手続補正９】
【補正対象書類名】明細書
【補正対象項目名】００１５
【補正方法】変更
【補正の内容】
【００１５】
本発明の第３の態様に係る画像配信システムは、第１又は第２の態様に係る画像配信システムにおいて、前記画像配信装置は、前記配信画像のレイアウト又は文字の大きさを解析するファイル解析手段を備え、前記表示領域決定手段は、前記解析結果に基づいて前記表示領域を決定することを特徴とする。
【手続補正１０】
【補正対象書類名】明細書
【補正対象項目名】００１６
【補正方法】変更
【補正の内容】
【００１６】
第３の態様に係る画像配信システムによれば、文書ファイルのレイアウト又は文字の大きさを解析し、解析結果に基づいて文書データ上に所定の大きさの表示領域を決定する。このように、文書の概要が把握可能な画像が表示されるように表示領域を決定することで、表示領域を指示する手間を省くことができる。
【手続補正１１】
【補正対象書類名】明細書
【補正対象項目名】００１７
【補正方法】変更
【補正の内容】
【００１７】
本発明の第４の態様に係る画像配信システムは、第１から第３の態様のいずれかに係る画像配信システムにおいて、前記携帯端末は、所望の表示領域を示す情報を指示入力する操作部と、前記指示入力された所望の表示領域を示す情報を前記画像配信装置に送信する端末側送信手段と、を備え、前記画像配信装置は、前記端末側送信手段から送信された所望の表示領域を示す情報を受信する装置側受信手段を備え、前記表示領域決定手段は、前記受信した所望の表示領域を示す情報に基づいて当該所望の表示領域を前記文書データ上に決定された表示領域とすることを特徴とする。
【手続補正１２】
【補正対象書類名】明細書
【補正対象項目名】００１８
【補正方法】変更
【補正の内容】
【００１８】
第４の態様に係る画像配信システムによれば、携帯端末は、所望の表示領域を示す情報を指示入力し、画像配信装置に送信する。画像配信装置は、所望の表示領域を示す情報を受信し、所望の表示領域内の文書データが画像化された配信画像を生成する。これにより、携帯端末が指示入力したとおりの配信画像を表示部に表示させることができる。
【手続補正１３】
【補正対象書類名】明細書
【補正対象項目名】００１９
【補正方法】変更
【補正の内容】
【００１９】
本発明の第５の態様に係る画像配信システムは、第１から第４の態様のいずれかに係る画像配信システムにおいて、前記表示制御手段は、配信画像を前記表示手段に表示させた後で前記端末側受信手段から新たな配信画像を受信すると、前記配信画像を消去して前記新たな配信画像を前記表示手段に表示させることを特徴とする。
【手続補正１４】
【補正対象書類名】明細書
【補正対象項目名】００２０
【補正方法】変更
【補正の内容】
【００２０】
第５の態様に係る画像配信システムによれば、配信画像を表示手段に表示させた後で新たな配信画像を受信すると、現在表示中の配信画像を消去して新たな配信画像を表示手段に表示させる。これにより、携帯端末に過去の画像が残らず、安全に文書の閲覧をすることができる。
【手続補正１５】
【補正対象書類名】明細書
【補正対象項目名】００２１
【補正方法】変更
【補正の内容】
【００２１】
本発明の第６の態様に係る画像配信システムは、第１から第５の態様のいずれかに係る画像配信システムにおいて、前記画像配信装置は、前記配信画像を閲覧可能なアプリケーションを記憶する記憶手段を備え、前記送信手段は、前記記憶手段に記憶されたアプリケーションを前記携帯端末に送信し、前記表示制御手段は、前記送信されたアプリケーションを実行して、前記送信された配信画像を前記表示手段に表示させることを特徴とする。
【手続補正１６】
【補正対象書類名】明細書
【補正対象項目名】００２２
【補正方法】変更
【補正の内容】
【００２２】
第６の態様に係る画像配信システムによれば、画像配信装置は、配信画像を閲覧可能なアプリケーションを携帯端末に送信し、携帯端末はこのアプリケーションを実行して配信画像を表示させる。これにより、アプリケーションのない携帯端末では配信画像の閲覧が不可能であり、安全に文書の閲覧をすることができる。
【手続補正１７】
【補正対象書類名】明細書
【補正対象項目名】００２３
【補正方法】変更
【補正の内容】
【００２３】
本発明の第７の態様に係る画像配信装置は、第１から第６の態様のいずれかに係る画像配信システムを構成する。
【手続補正１８】
【補正対象書類名】明細書
【補正対象項目名】００２４
【補正方法】変更
【補正の内容】
【００２４】
本発明の第８の態様に係る画像配信方法は、文書データを取得するステップと、携帯端末に設けられた表示手段の画素数又は解像度を取得するステップと、前記文書データを画像データに変換するステップと、前記画像データ上に所定の大きさの表示領域を決定するステップと、前記表示手段の画素数又は解像度に関わらず同じ大きさで前記配信画像が表示されるように、前記表示手段の画素数又は解像度に基づいて前記決定された表示領域内の画像データの画素数又は解像度を変換するステップと、前記画素数又は解像度を変換した後の表示領域内の画像データを前記携帯端末に送信するステップと、を含むことを特徴とする。
【手続補正１９】
【補正対象書類名】明細書
【補正対象項目名】００２５
【補正方法】変更
【補正の内容】
【００２５】
本発明の第９の態様に係るプログラムは、第８の態様に係る画像配信方法を演算装置に実行させることを特徴とする。
【手続補正２０】
【補正対象書類名】明細書
【補正対象項目名】００５６
【補正方法】変更
【補正の内容】
【００５６】
画像配信装置１０の通信データ処理部１２は、通信部１１を介して携帯端末情報を取得して機種判定部１３へ出力し、機種判定部１３は携帯端末情報を解析してクライアント携帯端末２０の機種を判別する（ステップＳ１１）。というのは、携帯電話の機種により、液晶サイズ、液晶解像度、画素数や、文書画像の閲覧用アプリケーションが異なるためである。機種の判別には、ユーザエージェント、キャリアＩＤ等を用いる。例えば、携帯端末情報としてDoCoMo/2.0N701i(c100;TB;W30H1)/serxxxxxxxxxxxxxxx;icc0000000000Fを取得した場合には、機種判定部１３は、クライアント携帯端末２０の機種がNTT N701であると判別する。
【手続補正２１】
【補正対象書類名】明細書
【補正対象項目名】００５９
【補正方法】変更
【補正の内容】
【００５９】
通信データ処理部１２は、ステップＳ１３で生成されたHtml形式の初期画面を文書データ閲覧制御部１８から取得して通信部１１へ出力し、通信部１１は、Html形式の初期画面をクライアント携帯端末２０へ送信する（ステップＳ１４）。
【手続補正２２】
【補正対象書類名】明細書
【補正対象項目名】００６１
【補正方法】変更
【補正の内容】
【００６１】
ユーザが操作部２３を操作することにより、Html形式の初期画面に表示された文書データの中から所望の文書を選択すると、クライアント携帯端末２０の制御部は、通信部２４を介して、どの文書が選択されたかを示す情報を画像配信装置１０に送信する（ステップＳ２３）。例えば、図５に示す初期画面が表示部２１に表示された場合に、操作部２３によりAAAAA.docが選択されると、クライアント携帯端末２０の制御部は、通信部２４を介して、文書「AAAAA.doc」が選択されたことを示す情報を画像配信装置１０に送信する。
【手続補正２３】
【補正対象書類名】明細書
【補正対象項目名】００６２
【補正方法】変更
【補正の内容】
【００６２】
通信データ処理部１２は、通信部１１を介して選択された文書に関する情報を取得して文書データ処理部１７に出力し、文書データ処理部１７は、選択された文書の文書画像であって、クライアント携帯端末２０で閲覧可能な文章画像をデータアクセス部１６を介してストレージ１９から取得する（ステップＳ１５）。例えば、ステップＳ１１でクライアント携帯端末２０の機種がNTT N701であると判別され、ステップＳ２３で文書「AAAAA.doc」が選択されたことを示す情報が送信された場合には、文書データ処理部１７は、\xx\type1からAAAAA.docの文章画像を取得する。
【手続補正２４】
【補正対象書類名】明細書
【補正対象項目名】００６４
【補正方法】変更
【補正の内容】
【００６４】
図７（ｂ）に示すように、クライアント携帯端末２０の液晶表示サイズが３．２インチ×３．２インチ、液晶解像度が１５０dpi、液晶画素数が４８０ピクセル×４８０ピクセルである場合には、表示領域の解像度と液晶解像度とが同一であるため、画像変換処理部１５は特に変換処理を行わない。それに対し、図７（ｃ）に示すように、クライアント携帯端末２０の液晶表示サイズが３．２インチ×３．２インチ、液晶解像度が１００dpi、液晶画素数が３００ピクセル×３００ピクセルである場合には、液晶解像度に比べ配信画像の解像度が高いため、この配信画像をこのまま表示部２１に表示させると、配信画像の一部のみが表示部２１に表示されてしまい、配信画像全体が表示部２１に表示されない。そのため、画像変換処理部１５は、表示領域の画素を均等に間引き、表示領域の解像度と液晶解像度とを同じにする。これにより、図７（ｂ）に示す表示部に配信画像が表示された場合と、図７（ｃ）に示す表示部に配信画像が表示された場合とで、配信画像を同じように表示させることができる。ただし、図７（ｃ）に示す表示部に配信画像が表示された場合のほうが画像は粗くなる。
【手続補正２５】
【補正対象書類名】明細書
【補正対象項目名】００６５
【補正方法】変更
【補正の内容】
【００６５】
画像変換処理部１５は、ステップＳ１７により変換した後の表示領域の文書画像を通信データ処理部１２に出力し、通信データ処理部１２はこれを取得する。また、通信データ処理部１２は、文書データ閲覧制御部１８に記憶された文書リンク変換方法管理テーブル（図４参照）を参照し、ステップＳ１１で取得した携帯端末情報用の閲覧用アプリケーションを画像変換処理部１５から取得する。例えば、携帯端末情報がDoCoMo/2.0N701i(c100;TB;W30H1)/serxxxxxxxxxxxxxxx;icc0000000000Fである場合には、画像変換処理部１５内のhttp://keitai/docomo.htmlから閲覧用アプリケーションを取得する。そして、通信データ処理部１２は、取得した表示領域の文書画像と、閲覧用アプリケーションとを通信部１１を介してクライアント携帯端末２０に出力する（ステップＳ１８）。
【手続補正２６】
【補正対象書類名】明細書
【補正対象項目名】００６８
【補正方法】変更
【補正の内容】
【００６８】
画像配信装置１０の通信データ処理部１２は、通信部２４を介して指示内容を受信し、文書データ処理部１７へ出力する。文書データ処理部１７は、入力された指示内容にしたがって表示領域を決定し直し、それを画像変換処理部１５へ出力する。
【手続補正２７】
【補正対象書類名】明細書
【補正対象項目名】００７３
【補正方法】変更
【補正の内容】
【００７３】
なお、本実施の形態では、機種データ登録部１４は、機種データとして液晶サイズ、液晶解像度及び画像数の情報を持っているが、必ずしも液晶解像度と画素数の両方を持っている必要はなく、液晶サイズと、液晶解像度又は画像数とを持っていればよい。というのは、液晶サイズと液晶解像度から画素数を知ることができるし、液晶サイズと画素数から液晶解像度を知ることができるからである。したがって、本実施の形態の説明における「液晶解像度」は、機種データとして記憶された液晶解像度を用いても良いし、液晶解像度が機種データにない場合には、液晶サイズと画素数から算出された液晶解像度を用いればよい。「画素数」についても同様に、機種データとして記憶された画素数を用いても良いし、画素数が機種データにない場合には、液晶サイズと液晶解像度から算出された画素数を用いればよい。
【手続補正２８】
【補正対象書類名】明細書
【補正対象項目名】００７４
【補正方法】変更
【補正の内容】
【００７４】
また、本実施の形態では、ユーザが操作部２３を操作することにより文書閲覧を終了すると、クライアント携帯端末２０の制御部は、表示制御部２２により実行されている閲覧用アプリケーションと、現在表示されている表示領域の文書画像とを削除したが、表示領域の文書画像のみを削除し、閲覧用アプリケーションは図示しない記憶部に記憶させておいてもよい。この場合には、再度文章閲覧が行われる時に、画像配信装置１０から閲覧用アプリケーションを送信する処理を省くことができる。ただし、安全性を考慮するのであれば、本実施の形態のように閲覧用アプリケーションも削除することが望ましい。
【手続補正２９】
【補正対象書類名】明細書
【補正対象項目名】００７９
【補正方法】変更
【補正の内容】
【００７９】
図８は、第２の実施の形態に係る画像配信システム２の全体構造の概略図である。画像配信システム２は、主として、画像配信装置１０’と、クライアント携帯端末２０と、クライアントＰＣ３０とで構成される。
【手続補正３０】
【補正対象書類名】明細書
【補正対象項目名】００８９
【補正方法】変更
【補正の内容】
【００８９】
閲覧用アプリケーションには、表示部２１に表示するのに適した文字の大きさが設定されている。画像変換処理部１５’は、閲覧用アプリケーションを参照し、設定された文字の大きさを示す情報を取得する。画像変換処理部１５’は、表示領域のフォントサイズと、設定された文字の大きさを示す情報とに基づいて表示領域の大きさを変換する。表示領域の大きさの変換は、開始位置（後で説明する）を基準にして行われる。
【手続補正３１】
【補正対象書類名】明細書
【補正対象項目名】０１０５
【補正方法】変更
【補正の内容】
【０１０５】
（Ｂ）フォントサイズに基づいて表示領域の位置を決定する方法
文書データ処理部１７’は、プリンタドライバのフォントサイズ解析機能やＯＣＲ等の技術を用いて文書画像中の文字の位置及びフォントサイズを解析する。図１３に示す場合には、文書データ処理部１７’は、右上近傍にフォントサイズ９の文字を検出し、上端近傍の略中央にフォントサイズ１２の文字を検出し、上端近傍の略中央の領域の下側にフォントサイズ１０．５の文字を検出する。
【手続補正３２】
【補正対象書類名】明細書
【補正対象項目名】０１１１
【補正方法】変更
【補正の内容】
【０１１１】
通信データ処理部１２は、通信部１１を介して取得した（ステップＳ１２）携帯端末情報を文書データ閲覧制御部１８へ出力する。文書データ閲覧制御部１８は、携帯端末情報と、文書リンク変換方法管理テーブルとに基づいてクライアント携帯端末２０へ送信する初期画面を生成する（ステップＳ１３）。
【手続補正３３】
【補正対象書類名】明細書
【補正対象項目名】０１１２
【補正方法】変更
【補正の内容】
【０１１２】
通信データ処理部１２は、ステップＳ１３で生成されたHtml形式の初期画面を文書データ閲覧制御部１８から取得して通信部１１へ出力し、通信部１１は、Html形式の初期画面をクライアント携帯端末２０へ送信する（ステップＳ１４）。
【手続補正３４】
【補正対象書類名】明細書
【補正対象項目名】０１１５
【補正方法】変更
【補正の内容】
【０１１５】
通信データ処理部１２は、通信部１１を介して選択された文書に関する情報を取得して文書データ処理部１７’に出力し、文書データ処理部１７’は、選択された文書の文書画像であって、クライアント携帯端末２０で閲覧可能な文章画像をデータアクセス部１６を介してストレージ１９から取得する（ステップＳ１５）。
【手続補正３５】
【補正対象書類名】明細書
【補正対象項目名】０１１６
【補正方法】変更
【補正の内容】
【０１１６】
文書データ処理部１７’は、ステップＳ１５で取得した文章画像のレイアウトやフォントサイズを解析して、文章画像上に適切な表示領域を決定する（ステップＳ３０）。どのような解析方法により表示領域を決定するかは、クライアントＰＣ３０等により予め入力され、文書データ処理部１７’に記憶された指示によって決まる。また、件名及び本文を含んだ表示領域とするか、本文のみを表示領域とするか等についても、クライアントＰＣ３０等により予め入力され、文書データ処理部１７’に記憶されたものが指示によって決まる。
【手続補正３６】
【補正対象書類名】明細書
【補正対象項目名】０１１７
【補正方法】変更
【補正の内容】
【０１１７】
文書データ処理部１７’は、ステップＳ３０により決定した表示領域内の文章画像（以下、配信画像という）を画像変換処理部１５’へ入力する。画像変換処理部１５’は、閲覧用アプリを参照し、所望の大きさで文字が表示されるようにステップＳ３０で設定された表示領域の大きさを変更する。また、画像変換処理部１５’は、ステップＳ１２で取得した表示部２１の情報に基づいて、大きさを変更した後の配信画像の解像度及び画素数を変換する（ステップＳ３１）。
【手続補正３７】
【補正対象書類名】明細書
【補正対象項目名】０１１８
【補正方法】変更
【補正の内容】
【０１１８】
画像変換処理部１５’は、ステップＳ３１により変換した後の表示領域の文書画像を通信データ処理部１２に出力し、通信データ処理部１２はこれを取得する。また、通信データ処理部１２は、文書データ閲覧制御部１８に記憶された文書リンク変換方法管理テーブル（図４参照）を参照し、ステップＳ１１で取得した携帯端末情報用の閲覧用アプリケーションを画像変換処理部１５’から取得する。そして、通信データ処理部１２は、取得した表示領域の文書画像と、閲覧用アプリケーションとを通信部１１を介してクライアント携帯端末２０に出力する（ステップＳ１８）。